(57)【要約】【課題】複数のイカ釣り針を装着した仕掛けを円滑かつ速やかに一動作で自動的に順次投下できるようにし糸絡みを無くする。また、次の仕掛けの投入準備を容易にする。【解決手段】個々のイカ釣り針を個別に収納する複数の円筒体であって、該円筒体が長さ方向と直交し貫通するシャフトにより回転可能に整列して保持され、該円筒体は一方の側がイカ釣り針を出し入れする開口部であって、シャフトを挟んだ他端側にはウエイトを装填してなり、シャフトの両端をＵ字状の受け金具にて支持するように形成し、受け金具の端部に錘格納筒を設けて構成したことを特徴とする。シャフトには雄ネジが切られてあり蝶ネジを螺合させ円筒体の回転を制止、解放することができる。また、イカ釣り針の投下に有効な円筒体の傾斜角度を調整する上がり止め金具と回り過ぎを防止する下がり止め金具を設ける。受け金具にクランプ装置を設け、各種船体の船縁への固定を容易にする。【選択図】図１
2005095127.tif 000002
【特許請求の範囲】
【請求項１】
個々のイカ釣り針を個別に収納する複数の円筒体であって、該円筒体が、その長さ方向と直交するシャフトにより回転可能に整列して支持され、該円筒体は一方の側がイカ釣り針を出し入れする開口部であって、シャフトを挟んだ他端側にはウエイトを装填してなり、シャフトの両端を受け金具にて支持するように形成するとともに受け金具の端部に錘格納筒を設けて構成したことを特徴とする円筒体自動反転イカ釣り装置。
【請求項２】
シャフトには雄ネジが切られており、蝶ネジを螺合させて円筒体の回転を制止または自在にすることができるようにするとともに、円筒体の初期状態の傾斜角度を設定する上がり止め金具および回り過ぎを防止する下がり止め金具を受け金具に設けたことを特徴とする請求項１記載の円筒体自動反転イカ釣り装置。
【発明の詳細な説明】
【技術分野】
【０００１】  本発明は、釣り糸に接続された複数のイカ釣り針を、釣り糸が絡まることのないように挿入し格納するとともに、イカ釣り針の投下時においても糸絡みを生じることがなく、順次自動的に海中投下が行われるようにしたイカ釣り装置に関するものである。
【背景技術】
【０００２】  イカ釣りにおいては、１本の幹糸に複数のイカ釣り針を、１〜１．５ｍ程度の間隔で結び付け、先端に錘を設けた仕掛けが用いられることが多く、この釣り糸に結び付けるイカ釣り針は、金属製の複数の鉤を放射状に張り出させた針部材を疑似餌の先端に取り付けて構成したものが多い。【０００３】  従来は一般的な手段として、このような構成の仕掛けを海から引き上げた時には、イカを外したイカ釣り針をスポンジが張られた板に一本一本引っかけて整列させ、イカ釣り針および釣り糸が絡まないようにしている。したがって、このような仕掛けを再び海に投下する時には、複数のイカ釣り針を一本一本スポンジから外して投下しなければならず、手間と時間のかかるものであった。【０００４】  このような事情により、改善策として、例えば特開２００２−８４９５０号公報によれば、前述のスポンジに代えてゴム磁石板を用いたり、イカ釣り針を一本一本個別に収納する円筒体釣針保持具を並列に配列し固着した装置が提案されている。
しかしながら本装置においては、イカ釣り針とゴム磁石板の定着の程度の調節が難しく円滑な海中投下が行われない欠点がある。イカ釣り針がステンレス鋼などの非磁性体や弱磁性体である場合には適用できず、また、円筒体釣針保持具にイカ釣り針を個別に収納し保持する場合においても、若干海側に傾斜して突設されているとはいえ、並列に配列し固着、固定されているため、イカ釣り針の円滑な海中投下が行われ難い欠点がある。【０００５】  他の手段として、例えば特開２００３−２３９４０号公報には、イカ釣り針が磁性体の鉄製である場合にのみ有効な手段として、概ね水平方向に張り出すアームに複数のマグネットをアーム長手方向に沿って所定の間隔で取り付け、これをイカ釣り針保持具としている。このような構成のイカ釣り針保持具にイカ釣り針先端の鉄製の部材を吸着させて保持する手段が提示されている。本例においてはアームに対しイカ釣り針保持具が回動可能としている点、あるいは可撓性の部材により構成するとしている点で幾分評価できる点があるとしても、マグネットと釣り針との吸着の程度の調節が困難であり、円滑な海中投下が行われ難く、また多様なイカ釣り針に適用できない欠点がある。
【特許文献１】特開２００２−８４９５０号公報
【特許文献２】特開２００３−２３９４０号公報
【発明の開示】
【発明が解決しようとする課題】
【０００６】  収納時においても、海中への投下時においても釣り糸とイカ釣り針の絡みを防止し、なおかつ、手間暇かけずに一動作で複数のイカ釣り針を順次海中に円滑かつ自動的に投下できるようにしようとするものである。
【課題を解決しようとする手段】
【０００７】  本発明は、イカ釣り針を挿入し収納させる複数の円筒体であって、該円筒体が、その長さ方向と直交するシャフトにより複数の円筒体が回転可能に整列して支持され、該円筒体は一方の側がイカ釣り針を出し入れする開口部とされ、シャフトを挟んだ他方の側にはウエイトを装填してなり、複数の円筒体を横方向から貫通したシャフトの両端を受け金具にて支持するように形成するとともに、受け金具の端部に錘格納筒を設けて構成した点を主な要件とするものである。
【０００８】  シャフトには一部に雄ネジが切られてあり、この雄ネジに螺合する蝶ネジを付けて、円筒体の回転動作を制止したり、それを解放し回転自在としたりすることができる。さらに円筒体からイカ釣り針が海中に出やすくため、円筒体の初期の位置の傾斜角度を設定したり、回り過ぎて隣接する他の円筒体からのイカ釣り針の投下の邪魔にならないようにするため、上がり止め金具および下がり止め金具を受け金具に設けるものである。
受け金具には、船縁に容易に固定できるように周知構造のクランプ装置を設けておき、船体等への設置を容易にできるようにしておく。
【発明の効果】
【０００９】  本発明にかかる円筒体は、シャフトにより回転可能に支持されていて、ウエイトの作用で常に開口部が上を向いた状態で保持されている。したがって、各円筒体にイカ釣り針を挿入収納する場合にも容易であり糸絡みも生じない。また、イカ釣り針の海中投下時には錘格納筒に収納されている錘を最初に摘んで海中に先行投下すれば、同じ釣り糸に連接されているイカ釣り針が次々に海中に引き込まれる。この時、円筒体が順次シャフトを中心として回転するので、イカ釣り針は極めて円滑スムースに海中に投下される。投下の終わった円筒体は、ウエイトの作用で直ちに反転し元の位置に戻る。したがって、次のイカ釣り針の投下の邪魔をせず、また糸絡みを生じることもない。
【００１０】  元の位置に戻った円筒体は、次の仕掛けの準備にそのまま供することができる。この際シャフトに設けた蝶ネジを締めれば、円筒体が不用意に回転するのを防止した状態で並列に固定することができる。
【発明を実施するための最良の形態】
【００１１】  図１は、本発明の実施形態を示す斜視図で船内方向からみた場合、図２は、海側から見た場合を示している。３２は船縁を示している。
１、２、３、４、５、６および７はイカ釣り針を収納する複数の円筒体で、本例の場合には、１から７まで７本を一列に並べて設置した状態を示している。１７はシャフトで、複数の円筒体１〜７を、その長さ方向と直交する方向に中心よりやや下側で貫通して設けられている。複数の円筒体１〜７とシャフト１７は、それぞれが個別に自由に回転できるように装着されているが、シャフト１７の必要部分に設けた雄ネジ部に装着した蝶ネジ１０を廻し締めることにより、回転できないように固定することができる。蝶ネジ１０を緩めれば、各円筒体は回転自在となるように構成されている。【００１２】  シャフト１７は、その両端にて受け金具１４に保持固着されている。受け金具１４は全体がＵ字状に形成されていて、蝶ネジ９および蝶ネジ１１はより、シャフト１７を受け金具１４に固着し固定する。１２、１３はスプリングワッシャー、１５、１６は六角平ナット、２０は平ワッシャーを示す。１９は上がり止め金具、１８は下がり止め金具であり、受け金具１４の支柱の適宜の位置に設置、固定される。【００１３】  ８は錘格納筒で、錘２１を出し入れするための開口部を上にして、略垂直状態に受け金具１４の端部に固定されている。上がり止め金具１９の設置位置により円筒体を任意の適切な傾斜角度に設定することができ、通常は海側に向けて傾斜させた状態となるように設ける。下がり止め金具１８は、円筒体が回り過ぎて不用意な糸絡みなどが生じないように回転範囲を規制するためのものである。【００１４】  図３に本発明にかかる円筒体単体の詳細を示す。一方の側はイカ釣り針を出し入れする開口部としてあり、反対側は通常は閉じられてウエイト３０が装填されている。３９はスリーブを示し、円筒体１〜７に装着され、該円筒体１〜７を貫通するシャフト１７と各円筒体が円滑に回転するために設けてある。４１は円筒体に挿入さたイカ釣り針が、入り過ぎないように設けた底板を示している。【００１５】  ３１はクランプ装置で、図４にその詳細を示した。図４は、円筒体を保持した受け金具１４を船縁３２に固定するためクランプ装置の一例を示したものである。第一取付金具３６と第二取付金具３７とはＬ字状に形成されているが、それぞれが一辺にて重なりＵ字状の形となり、その部分でスライドできるように構成されていて、一方のあるいは両方に長孔が設けられている。蝶ネジ３５は、両者をスライドさせて挟む間隔を調節した後、固定するためのものである。３４は第一取付金具３６設けた蝶ネジで、受け金具１４を固定するためのものである。３３は締め付けクリップで、第二取付金具３７に設けてある雌ねじ３８に適合する構成である。したがって、船縁３２の幅に応じて蝶ネジ３５にて、おおよその幅合わせを行い、しかる後、締め付けグリップ３３にて全体を確実に固定することができる。ネジを緩めれば解体もまた容易である。
もっとも、このようはクランプ装置は種々の物体の固着手段として周知であり、本発明の実施においても、この構造に限定されるものではなく、円筒体を保持した受け金具１４を安全かつ確実に固定できるものであれば、他の構成からなるクランプ装置、固定手段も適用できるのは勿論である。【００１６】  図５は、複数の円筒体の一部が、円筒体１から順次回動する状態を表現した本発明の動作の一部を示した説明図である。図６は一般的に多用されているイカ釣り針の仕掛けの状態を示した説明図である。２１は錘で、釣り糸の先端に設けられる。２２は幹糸、２３、２４、２５、２６、２７、２８および２９は複数のイカ釣り針を示し、４０はハリスを示している。【００１７】  本発明は上述のように構成されているから、多様な釣り舟においても直ちに本装置を釣船の船縁の任意の位置に速やかに固定できるものであり、複数のイカ釣り針を装着した仕掛けを海中に投入するのに先立ち、あらかじめ、各イ力釣り針２３ないし２９を、円筒体１ないし７に、それぞれ個別に順次挿入し格納しておくとともに先端の錘２１を錘格納筒８に挿入しておく。イカ釣り針の海中への投入にあたっては、錘２１のみを摘んで海中に投じれば、それに繋がれた釣り糸に引かれて錘に一番近いイカ釣り針が海中に引き込まれるが、この時本発明においては円筒体がシャフト１４を中心にして回転するので、イカ釣り針は極めて円滑スムースに海中に投入される。同様に次のイカ釣り針が円筒体の回転を伴って円滑スムースに海中に投入され、同様に全てのイカ釣り針が円滑スムースに海中に投入されるものである。イカ釣り針が投下された空の円筒体は、ウエイトの作用で自動的に反転し元の位置に戻り、次の仕掛けのセットに備えられる。【００１８】  元の位置に戻った円筒体は、シャフト１４に装着した蝶ネジ１０にて固定も容易であるから、次の仕掛けの挿入格納も安定した状態で簡単容易に行うことができ、速やかに次の準備体制を構築できる。海中への投入の際には、蝶ネジ１０を緩め、各円筒体の回転を自在にしてから行う。船の移動の際にも、イカ釣り針および錘を、それぞれ円筒体および錘格納筒に挿入しおくことにより糸絡みを生じることがなく実行できる。いざ釣りの開始となれば、極めて速やかにイカ釣り針の海中への投入動作に入ることができる。【００１９】  上記説明において、イカ釣り針を挿入し格納する物体を円筒体と表現したが、円形に限定されるものでなく、多角形からなる類似体を含むものであり、錘を格納する物体も同様である。
本発明を構成する各部材は軽量に構成することが可能であるから、全体の装置としてもコンパクトで小型軽量に形成でき、クーラーボクスにも収納可能であり持ち運びも容易である。必要なら、各金具を部材毎に分解も容易であるから、運搬はさらに簡便である。また、磁石などの特殊部材を使用せず、回転部分があるとしても単純であるから故障も無く取り扱いも簡便である。
【図面の簡単な説明】
【００２０】
【図１】本発明の実施形態を船内方向から見た状態で示した斜視図である。
【図２】本発明の実施形態を海側から見た状態で示した斜視図である。
【図３】本発明にかかる円筒体の詳細を示す斜視図である。
【図４】船縁に受け金具を固定するための締結手段の一例を示した斜視図である。
【図５】本発明の動作の一部を示した説明図である。
【図６】イカ釣り針の仕掛けの状態を示した説明図である。
【符号の説明】
【００２１】  １、２、３、４、５、６、７  円筒体
８  錘格納筒
１０  蝶ネジ
１４  受け金具
１７  シャフト
１８  下がり止め金具
１９  上がり止め金具
２１  錘
２２  幹糸
２３、２４、２５、２６、２７、２８、２９  イカ釣り針
３０  ウエイト
３１  クランプ装置
【図１】
2005095127.tif 000003
【図２】
2005095127.tif 000004
【図３】
2005095127.tif 000005
【図４】
2005095127.tif 000006
【図５】
2005095127.tif 000007
【図６】
2005095127.tif 000008